(57)【要約】【課題】作業性よく洋式水洗便器の汚水排出口を排水管に接続でき、水漏れの発生を防止することが可能な排水管用床フランジの接続構造を提供する。【解決手段】洋式水洗便器の汚水排出口６とトイレの床面２開口部に嵌装される床フランジ１とを環状排水ジョイント７を介装して接続する構造であって、該床フランジ１はフランジ部１２と継手部１１とからなるとともに、該継手部１１は排水管４に内挿される内側環状リブ１１１と、上記フランジ部１２の下面に下向きに突設されて排水管４に外嵌する外側環状リブ１１２とからなり、上記フランジ部１２の上面には、上記環状排水ジョイント７を支承する環状リブ１２１が突設される。【選択図】図２
2006037375.tif 000002
【特許請求の範囲】
【請求項１】
洋式水洗便器の汚水排出口とトイレの床面開口部に嵌装される床フランジとを環状排水ジョイントを介装して接続する構造であって、該床フランジはフランジ部と継手部とからなるとともに、該継手部は排水管に内挿される内側環状リブと、上記フランジ部の下面に下向きに突設されて排水管に外嵌する外側環状リブとからなり、上記フランジ部の上面には、上記環状排水ジョイントを支承する環状リブが突設された排水管用床フランジの接続構造。
【請求項２】
上記フランジ部下面と床面開口部周縁との間にパッキンを介挿するとともに、該パッキンは上記外側環状リブに外嵌するリング部とこのリング部から延出する延出部とからなり延出部の先端は環状突起部とされた請求項１に記載の排水管用床フランジの接続構造。
【請求項３】
上記継手部の内側環状リブが外側環状リブよりも下向きに長くされた請求項１に記載の排水管用床フランジの接続構造。
【請求項４】
上記排水管と外側環状リブとの接触面とが接着剤により接着された請求項１に記載の排水管用床フランジの接続構造。
【発明の詳細な説明】
【技術分野】
【０００１】
本発明は、洋式水洗便器の汚水を排水管に排出するための構造に関する。さらに詳しくは、上記便器の汚水排出口と床フランジとを環状排水ジョイントを介装して接続し、汚水を排水管に排出するための接続構造に関する。
【背景技術】
【０００２】
従来、上記床フランジの接続構造に関しては、洋式水洗便器からの汚水がトイレの床面開口部に嵌装される床フランジを経て排水管に流下することから、排水管からの臭気の逆流や汚水の漏れを防止するために、種々の構造が提案されている。例えば、本願図３に示す公知の床フランジの接続構造の縦断面図から明らかなように、床フランジ８は、トイレの床面２に設けられた開口部の周縁に接するフランジ部８２と、排水管４に内挿される継手部８１とからなり、上記フランジ部８２の上面には環状リブ８２１が突設されている。この環状リブ８２１は、弾性変形可能な環状排水ジョイント７の裏面に設けられた環状凹部７１に嵌挿され上記環状排水ジョイント７を支持する。一方、便器の汚水排出口６は環状排水ジョイント７の開口部に矢印の方向に挿入され、上記フランジ部８２のエッジ部８２２によって支持されるとともに、環状排水ジョイント７の封止片７２が排水口６の外周に弾接し水密にシールする。
【特許文献１】特開平８−３１１９６９号公報（第１−３頁、第１、２図）
【発明の開示】
【発明が解決しようとする課題】
【０００３】
上記床フランジ８は、通常、固定用ビス９でトイレの床面２に固定され、シリコンシーラント等を充填して水密シールされるが、充填作業は手間がかかり、また、作業員の熟練度によっては確実にシールされない場合がある。また、排水管４とこの排水管４に内挿された継手部８１とを接着する接着剤５が劣化した場合、跳ね返った汚水が漏れる恐れがあり、とくに、トイレを２階等、階上に設けた場合、上記した水漏れが階下に拡大するという問題がある。本発明はこのような問題を解決して、作業性よく洋式水洗便器の汚水排出口を排水管に接続できるとともに、水漏れの発生を防止することが可能な排水管用床フランジの接続構造を提供することをその課題とする。
【課題を解決するための手段】
【０００４】
上記課題を解決するため、本発明においてはつぎのような技術的手段を講じている。すなわち、本発明によれば、洋式水洗便器の汚水排出口とトイレの床面開口部に嵌装される床フランジとを環状排水ジョイントを介装して接続する構造であって、該床フランジはフランジ部と継手部とからなるとともに、該継手部は排水管に内挿される内側環状リブと、上記フランジ部の下面に下向きに突設されて排水管に外嵌する外側環状リブとからなり、上記フランジ部の上面には、上記環状排水ジョイントを支承する環状リブが突設された排水管用床フランジの接続構造が提供される。
【０００５】
上記フランジ部下面と床面開口部周縁との間にパッキンを介挿するとともに、該パッキンは、上記外側環状リブに外嵌するリング部とこのリング部から延出する延出部とからなり、延出部の先端が環状突起部とされていることが好ましい。また、上記パッキンは、ブチル系ゴム、ポリブタジエン系ゴム等、合成ゴムから形成されることが好ましい。
【０００６】
上記継手部の内側環状リブが外側環状リブよりも下向きに長くされることが好ましく、また、上記排水管と外側環状リブとの接触面とが接着剤により接着されることが好ましい。
【発明の効果】
【０００７】
請求項１に記載の発明は上記のとおりであり、トイレの床面開口部に嵌装される床フランジの継手部が排水管に内挿される内側環状リブと、上記フランジ部の下面に下向きに突設されて排水管に外嵌する外側環状リブとからなっているため、排水管の上端部を上記内側環状リブと外側環状リブとの間に嵌挿することによって、簡単に床フランジの継手部と排水管とを接続することができる。
【０００８】
また、上記フランジ部下面と床面開口部周縁との間に外側環状リブに外嵌するリング部とこのリング部から延出する延出部とからなるとともに、延出部の先端が環状突起部とされたパッキンを介挿することにより、床面とフランジ部の下面とは環状突起部によって封止され、かつ、床面の開口縁はリング部からの延出部によって封止されるため、床面上で水漏れが発生しても階下への拡大を防ぐことができる。
【０００９】
上記継手部の内側環状リブが外側環状リブよりも下向きに長くされているため、排水時の水勢によって跳ね返った汚水が内側環状リブと外側環状リブとの間に形成された隙間に侵入することを防ぐ。また、排水管と上記外側環状リブとの接触面とが接着剤により接着されているため、排水管からの水漏れを確実に防ぐことができる。
【発明を実施するための最良の形態】
【００１０】
以下、本発明の実施形態について図面を参照して、詳細に説明する。図１は、本発明にかかる排水管用床フランジの接続構造の構成を示す縦断面図である。図１において、床フランジ１は洋式水洗便器を備えたトイレの床面２の開口部に嵌装され、床フランジ１の継手部１１は排水管４に内挿される内側環状リブ１１１と、床フランジ１のフランジ部１２の下面に下向きに突設されるとともに、排水管４に外嵌する外側環状リブ１１２とからなっている。
【００１１】
図１からよくわかるように、排水管４は、その上端部が上記継手部１１の内側環状リブ１１１と外側環状リブ１１２との間に嵌挿されるとともに、外側環状リブ１１２と排水管４との接触面は接着剤５によって接着されている。このとき、継手部１１の内側環状リブ１１１は外側環状リブ１１２よりも下向きに長くされ、排水時の水勢によって跳ね返った汚水が上記２つの環状リブの間に形成された隙間に侵入することを防ぐ。
【００１２】
また、上記床フランジ１のフランジ部１２の上面には、前記公知の環状排水ジョイント７の裏面に設けられた環状凹部７１に嵌挿されて環状排水ジョイント７を支持する環状リブ１２１が突設され、上記フランジ部１２の下面と床面２の開口部周縁との間には合成ゴム製のパッキン３が介挿されている。このパッキン３はリング部３１とこのリング部３１から延出する延出部３３とからなり、延出部３３の先端は環状突起部３２とされるとともに、上記リング部３１は外側環状リブ１１２に外嵌し、環状突起部３２はフランジ部１２の下面と床面２の開口部周縁との間に介挿される。このようにすることにより、床面２とフランジ部１２の下面とは環状突起部３２によって、また、床面２の開口縁は延出部３３によって封止されるため、床面２上において水漏れが発生しても上記のように二重に封止されるため、階下への拡大を防ぐことができる。このように構成された本発明の排水管用床フランジの接続構造は固定用ビス９によって床面２にビス留めされる。
【００１３】
図２は、洋式水洗便器の汚水排出口６を弾性変形可能な環状排水ジョイント７の中央開口部に挿入するとともに、上記床フランジ１のフランジ部１２のエッジ部１２２上で支持した状態を示す縦断面図である。上記環状排水ジョイント７は、その裏面に設けられた環状凹部７１に環状リブ１２１が嵌挿することによりしっかりと支持され、また、封止片７２が汚水排出口６の外周に弾接して水密に封止するとともに、排水管４からの臭気の逆流を防止する。なお、便器本体は図示しない固定手段によって床面にしっかりと固定されているため、上記床フランジ１に外力が加わることはなく、汚水排出口６からの汚水は本発明の排水管用床フランジの接続構造を経て矢印の方向に流れ、排水管４にスムースに排出される。
【図面の簡単な説明】
【００１４】
【図１】本発明にかかる排水管用床フランジの接続構造を示す縦断面図である。
【図２】上記床フランジの接続構造に汚水排出口を接続した状態を示す縦断面図である。
【図３】公知の床フランジの接続構造を示す縦断面図である。
【符号の説明】
【００１５】
１          本発明にかかる床フランジ
１１        継手部
１１１      継手部を構成する内側環状リブ
１１２      継手部を構成する外側環状リブ
１２        フランジ部
１２１      環状リブ
１２２      エッジ部
２          床面
３          パッキン
３１        リング部
３２        環状突起部
３３        延出部
４          排水管
５          接着剤
６          汚水排出口
７          環状排水ジョイント
７１        環状凹部
７２        封止片
８          公知の床フランジ
８１        継手部
８２        フランジ部
８２１      環状リブ
８２２      エッジ部
９          固定用ビス
【図１】
2006037375.tif 000003
【図２】
2006037375.tif 000004
【図３】
2006037375.tif 000005